(57)【要約】【課題】小型化を図ることができるガスメータを提供する。【解決手段】供給されたガスをケース本体１１内に流入させて、当該ガスの流量を計測するガスメータ１であって、ケース本体１１内に嵌め込まれ、ケース本体１１との間において、流入したガスの流量を計測するための密閉空間となるガス室１５を形成する蓋部材２１を備え、蓋部材２１は、ガス室１５内に向けて突出し、基板４０を収納する基板収納部２１ｂを有する。【選択図】図３
2019158742.tif 000002
【特許請求の範囲】
【請求項１】
供給されたガスをケース本体内に流入させて、当該ガスの流量を計測するガスメータであって、
前記ケース本体内に嵌め込まれ、前記ケース本体との間において、流入したガスの流量を計測するための密閉空間となるガス室を形成する蓋部材を備え、
前記蓋部材は、
前記ガス室内に向けて突出し、基板を収納する収納部を有する
ことを特徴とするガスメータ。
【請求項２】
前記ケース本体の開口端部に形成される本体側フランジ部と、
前記蓋部材の開口端部に形成される蓋側フランジ部と、
前記本体側フランジ部と前記蓋側フランジ部との間に設けられるシール部材と、
前記シール部材を挟み込んだ前記本体側フランジ部及び前記蓋側フランジ部に対して、前記シール部材の厚さ方向両側から挟み込むように嵌め込まれる締め金とを備える
ことを特徴とする請求項１記載のガスメータ。
【請求項３】
前記ケース本体の開口端部に形成される本体側フランジ部と、
前記蓋部材の開口端部に形成される折り返し部と、
前記本体側フランジ部と前記折り返し部との間に設けられるシール部材と、
前記折り返し部は、
前記シール部材及び前記本体側フランジ部を前記蓋部材側から前記ケース本体側に向けて巻き込むように折り返され、その巻き込んだ前記シール部材及び前記本体側フランジ部を、前記シール部材の厚さ方向両側から挟み込む
ことを特徴とする請求項１記載のガスメータ。
【発明の詳細な説明】
【技術分野】
【０００１】
この発明は、ガスの流量を計測するガスメータに関する。
【背景技術】
【０００２】
ガスメータは、供給されたガスをメータ本体の内部に流入させることにより、その流量を計測可能としている。メータ本体は、複数の箱型ケースを組み合わせることによって構成されている。そして、このような、従来のガスメータとしては、例えば、特許文献１に開示されている。
【先行技術文献】
【特許文献】
【０００３】
【特許文献１】特開２０１４−１６９９５８号公報
【発明の概要】
【発明が解決しようとする課題】
【０００４】
上記従来のガスメータにおいては、ガス流量を計測するための各種部品をメータ本体内に収納する必要があり、このような点がガスメータの小型化を阻害している。特に、ガス流量を計測する際に使用する基板は、流入したガスから隔離させる必要があり、従来のガスメータでは、その基板の設置に伴って、基板収納スペースを確保する必要がある。また、メータ本体を構成する箱型ケースは、その多くが金属製となっており、このような金属製の箱型ケースを単に組み合わせて、基板収納スペースを確保しようとすると、ガスメータの大型化を招くおそれがある。
【０００５】
この発明は、上記課題を解決するものであって、小型化を図ることができるガスメータを提供することを目的とする。
【課題を解決するための手段】
【０００６】
この発明に係るガスメータは、供給されたガスをケース本体内に流入させて、当該ガスの流量を計測するガスメータであって、ケース本体内に嵌め込まれ、ケース本体との間において、流入したガスの流量を計測するための密閉空間となるガス室を形成する蓋部材を備え、蓋部材は、ガス室内に向けて突出し、基板を収納する収納部を有するものである。
【発明の効果】
【０００７】
この発明によれば、小型化を図ることができる。
【図面の簡単な説明】
【０００８】
【図１】この発明の実施の形態１に係るガスメータの外観斜視図である。
【図２】ケース本体の構成を示した前方斜視図である。
【図３】図１のIII−III矢視断面図である。
【図４】図３におけるIV部の拡大図である。図４Ａは、ケース本体と蓋部材との間におけるシール構造の構成を示した断面図である。図４Ｂは、ケース本体と蓋部材との間における他のシール構造の構成を示した断面図である。
【発明を実施するための形態】
【０００９】
以下、この発明の実施の形態について図面を参照しながら詳細に説明する。
【００１０】
実施の形態１．
図１から図３に示すように、ガスメータ１は、ケース本体１１及び蓋部材２１を備えている。ケース本体１１、ガスメータ１における後方側に配置されており、蓋部材２１は、ガスメータ１における前方側に配置されている。なお、ケース本体１１及び蓋部材２１は、後述するガス室１５を区画形成する本体部材を構成するものであって、金属製となっている。
【００１１】
図１から図３に示すように、ケース本体１１は、前面が開口する箱型をなしており、開口部１１ａ及びフランジ部１１ｂを有している。開口部１１ａは、前方側に向けて開口している。フランジ部１１ｂは、本体側フランジ部を構成するものであって、ケース本体１１の開口端部における周方向全域に形成されている。
【００１２】
また、ケース本体１１は、ガス流入管１２及びガス流出管１３を備えている。ガス流入管１２及びガス流出管１３は、円筒状をなしており、ケース本体１１の上部を貫通して、当該ケース本体１１の上面から外側に向けて突出している。
【００１３】
ガス流入管１２は、ガス供給源から供給されたガスを、後述するガス室１５に流入させるものである。ガス流出管１３は、ガス室１５内において流量が計測されたガスを、燃焼器等のガス装置に向けて流出させるものである。なお、図１に示した矢印は、ガスの流れを表している。
【００１４】
図１及び図３に示すように、蓋部材２１は、前面が開口する箱型をなしており、ケース本体１１の開口部１１ａを塞ぐように、当該ケース本体１１内に嵌め込まれている。そして、ケース本体１１と蓋部材２１との間には、シール部材１４が介在されている。シール部材１４は、ケース本体１１と蓋部材２１とによって締め付けられることにより、それらの間の隙間を密閉している。なお、シール部材１４を締め付けるための構成、即ち、ケース本体１１と蓋部材２１との間におけるシール構造の詳細については、後述する。
【００１５】
このように、ガスメータ１は、ケース本体１１と蓋部材２１とを嵌め合わせた中空構造となっており、その内部空間となる密閉空間を、計測対象となるガスが充満するガス室１５としている。ガス室１５は、ガス流入管１２及びガス流出管１３と連通している。
【００１６】
ここで、ガスメータ１は、ガス室１５内に流量計測手段を備えている。この流量計測手段は、供給されたガスが、ガス流入管１２、ガス室１５、及び、ガス流出管１３を順に通過する過程において、その流量を計測する。更に、図１及び図３に示すように、流量計測手段は、基板４０を備えている。基板４０は、ガス流量の演算処理を行うものであって、その演算したガス流量を、ガスメータ１の検針値とする。
【００１７】
また、図１及び図３に示すように、蓋部材２１は、開口部２１ａ、基板収納部２１ｂ、及び、フランジ部２１ｃ、または、折り返し部２１ｄを有している。開口部２１ａは、前方側に向けて開口している。基板収納部２１ｂは、開口部２１ａからガス室１５内に向けて突出しており、その内部に基板４０を収納可能となっている。フランジ部２１ｃまたは折り返し部２１ｄは、蓋部材２１の開口端部における周方向全域に形成されている。なお、フランジ部２１ｃは、蓋側フランジ部を構成するものである。
【００１８】
次に、ケース本体１１と蓋部材２１との間におけるシール構造について、図４Ａ及び図４Ｂを用いて詳細に説明する。
【００１９】
図４Ａは、蓋部材２１がフランジ部２１ｃを有するときのシール構造となっている。図４Ａに示すように、フランジ部１１ｂとフランジ部２１ｃとは、蓋部材２１がケース本体１１の開口部１１ａ内に嵌め込まれることにより、その嵌め込み方向において重なり合うように配置されている。そして、シール部材１４は、フランジ部１１ｂとフランジ部２１ｃとの間に挟まれており、それらの間の隙間を密閉している。
【００２０】
更に、フランジ部１１ｂ、フランジ部２１ｃ、及び、シール部材１４が重ね合わされた重合部分には、矩形枠状をなす締め金３０が嵌め込まれている。締め金３０は、断面が溝形をなしており、フランジ部１１ｂ，２１ｃの先端側から基端側に向けて、それらの重合部分を覆うようにして、当該重合部分に嵌め込まれている。これにより、締め金３０は、シール部材１４を挟み込んだフランジ部１１ｂ，２１ｃに対して、更にシール部材１４の厚さ方向両側から挟み込むように嵌め込まれるため、シール部材１４によるシール性を向上させることができる。
【００２１】
また、図４Ｂは、蓋部材２１が折り返し部２１ｄを有するときのシール構造となっている。図４Ｂに示すように、フランジ部１１ｂと折り返し部２１ｄとは、蓋部材２１がケース本体１１の開口部１１ａ内に嵌め込まれることにより、その嵌め込み方向において重なり合うように配置されている。そして、シール部材１４は、フランジ部１１ｂと折り返し部２１ｄとの間に挟まれており、それらの間の隙間を密閉している。
【００２２】
このとき、折り返し部２１ｄは、フランジ部１１ｂ及びシール部材１４を蓋部材２１側からケース本体１１側に向けて巻き込むように折り返されており、その巻き込んだフランジ部１１ｂ及びシール部材１４を、シール部材１４の厚さ方向両側から挟み込んでいる。これにより、折り返し部２１ｄは、フランジ部１１ｂ及びシール部材１４を挟むことができるので、シール部材１４によるシール性を向上させることができる。
【００２３】
以上より、実施の形態１に係るガスメータ１は、ケース本体１１内に嵌め込まれる蓋部材２１に、その内部に基板４０を収納可能となる基板収納部２１ｂを形成している。これにより、ガスメータ１は、当該ガスメータ１の厚さを薄くすることができるので、小型化を図ることができる。よって、ガスメータ１は、省スペースで設置可能となる。
【００２４】
そして、実施の形態１に係るガスメータ１は、シール部材１４を挟み込んだフランジ部１１ｂ及びフランジ部２１ｃに対して、シール部材１４の厚さ方向両側から挟み込むように嵌め込まれる締め金３０を備えている。これにより、ガスメータ１は、ケース本体１１と蓋部材２１との間のシール性を、容易に得ることができる。更に、ガスメータ１は、ケース本体１１と蓋部材２１との嵌合に、ねじ留めを必要としないため、部品点数及び組み立て工数を削減することができる。
【００２５】
また、実施の形態１に係るガスメータ１は、折り返されることによって巻き込んだシール部材１４及びフランジ部１１ｂを、シール部材１４の厚さ方向両側から挟み込む折り返し部２１ｄを備えている。これにより、ガスメータ１は、ケース本体１１と蓋部材２１との間のシール性を、容易に得ることができる。更に、ガスメータ１は、ケース本体１１と蓋部材２１との嵌合に、ねじ留めを必要としないため、部品点数及び組み立て工数を削減することができる。
【００２６】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【符号の説明】
【００２７】
１    ガスメータ
１１    ケース本体
１１ａ  開口部
１１ｂ  フランジ部
１２    ガス流入管
１３    ガス流出管
１４    シール部材
１５    ガス室
２１    蓋部材
２１ａ  開口部
２１ｂ  基板収納部
２１ｃ  フランジ部
２１ｄ  折り返し部
３０    締め金
４０    基板
【図１】
2019158742.tif 000003
【図２】
2019158742.tif 000004
【図３】
2019158742.tif 000005
【図４】
2019158742.tif 000006